(57)【特許請求の範囲】
【請求項１】
シート前方に足置き空間が設けられた自動二輪車における変速機の冷却構造であって、
前記足置き空間の前方を覆うレッグシールドと、
前記足置き空間の下面を形成するステップボードと、
変速機ケース内に外気を導入する吸気ダクトとを備え、
前記ステップボードの車幅方向の中央部には、前記足置き空間を左右に分けるように前記レッグシールドから後方に延びる空間分離部が設けられており、
前記レッグシールドには、前記吸気ダクトを介して前記変速機ケース内に外気を取り入れる外気取入口が、前記空間分離部によって分けられた左右の前記足置き空間のいずれか一方において、前記空間分離部よりも低い位置で車両後方に向けて開口されることを特徴とする変速機の冷却構造。
【請求項２】
前記レッグシールドは、後方に向けて膨出する膨出部を有し、
前記外気取入口は、前記レッグシールドにおいて前記膨出部の頂点部分から下側の領域に開口されることを特徴とする請求項１に記載の変速機の冷却構造。
【請求項３】
前記外気取入口は、前記ステップボードから上方に所定距離を空けて開口されることを特徴とする請求項２に記載の変速機の冷却構造。
【請求項４】
前記吸気ダクトの前端側には、前記外気取入口を介して外気を取り入れる吸気ボックスが接続され、
前記吸気ボックスは、前記膨出部の前方に設けられることを特徴とする請求項２又は請求項３に記載の変速機の冷却構造。
【請求項５】
前記吸気ボックスには、上部空間を除いて前記吸気ボックスの内部を前後に仕切る立壁が設けられ、
前記立壁は、前後方向において前記上部空間と前記外気取入口が重ならないように形成されることを特徴とする請求項４に記載の変速機の冷却構造。
【請求項６】
前記外気取入口には、複数の羽板を平行に配置したルーバーが設けられており、
前記複数の羽板は、前記足置き空間に向って下向きに傾いており、車幅方向の内側から外側に向って下方に傾斜して延在することを特徴とする請求項１から請求項５のいずれかに記載の変速機の冷却構造。
【請求項７】
前記変速機は、車体前後方向に延びる車体中心線に対して車幅方向の一方側に偏って配置されており、
前記外気取入口は、車幅方向において前記変速機側に設けられることを特徴とする請求項１から請求項６のいずれかに記載の変速機の冷却構造。
【発明の詳細な説明】
【技術分野】
【０００１】
本発明は、変速機の冷却構造に関し、特にベルト式自動変速機の変速機ケース内に外気を導入する変速機の冷却構造に関する。
【背景技術】
【０００２】
従来、自動二輪車の変速機ケース内に外気を導入してベルト式自動変速機を冷却する冷却構造として、車体前方から外気を取り込むものが知られている（例えば、特許文献１参照）。特許文献１に記載の自動二輪車では、車体下方に搭載された変速機から車体前方にダクトが延びており、その前端の外気取入口が前輪近傍に設けられている。外気取入口は、変速機の側方に隣接するエンジンよりも前方に位置するため、低温の外気を取り込むことによって変速機の冷却効果を高めている。
【先行技術文献】
【特許文献】
【０００３】
【特許文献１】特開２００７−２０３８２７号公報
【発明の概要】
【発明が解決しようとする課題】
【０００４】
しかしながら、特許文献１に記載の冷却構造では、前輪近傍に外気取入口が設けられているため、前輪で巻き上げた埃等の異物が変速機ケース内に取り込まれて変速機やクラッチの作動不良等を招くおそれがあった。また、雨天走行時には、前方からの水滴が外気取入口を介して変速機ケース内に侵入するおそれがあった。
【０００５】
本発明はかかる点に鑑みてなされたものであり、変速機ケース内に外気を取り込む際に、埃や水滴等の異物の侵入を防止できる変速機の冷却構造を提供することを目的とする。
【課題を解決するための手段】
【０００６】
本発明の変速機の冷却構造は、シート前方に足置き空間が設けられた自動二輪車における変速機の冷却構造であって、前記足置き空間の前方を覆うレッグシールドと、前記足置き空間の下面を形成するステップボードと、変速機ケース内に外気を導入する吸気ダクトとを備え、前記ステップボードの車幅方向の中央部には、前記足置き空間を左右に分けるように前記レッグシールドから後方に延びる空間分離部が設けられており、前記レッグシールドには、前記吸気ダクトを介して前記変速機ケース内に外気を取り入れる外気取入口が、前記空間分離部によって分けられた左右の前記足置き空間のいずれか一方において、前記空間分離部よりも低い位置で車両後方に向けて開口されることを特徴とする。
【０００７】
この構成によれば、外気取入口がレッグシールドの後方の足置き空間に向けて開口され、外気取入口の下方にステップボードが位置するため、車体前方及び下方から外気取入口への異物の侵入が防止される。このため、前輪によって巻き上げられた埃や雨天走行時の前方からの水滴が変速機ケースに侵入することがなく、変速機やクラッチの作動不良が生じることがない。また、外気取入口は、側面視において投影面積が小さいため、洗車時や雨天時にも側方から水滴が侵入し難い。また、空間分離部を挟んで外気取入口側とは逆側の側方から外気取入口への異物の侵入を防止できる。よって、洗車時に外気取入口側とは逆側の側方から水が掛けられても、空間分離部が壁となって外気取入口内への水滴の侵入を防止できる。
【０００９】
また本発明の上記変速機の冷却構造において、前記レッグシールドは、後方に向けて膨出する膨出部を有し、前記外気取入口は、前記レッグシールドにおいて前記膨出部の頂点部分から下側の領域に開口される。この構成によれば、雨天時に上方から外気取入口への水滴の侵入を防止できる。
【００１０】
また本発明の上記変速機の冷却構造において、前記外気取入口は、前記ステップボードから上方に所定距離を空けて開口される。この構成によれば、ステップボード上の乗せられたライダーのつま先から上方に外気取入口を離間させることができ、ライダーのつま先と外気取込口との接触を防止できる。
【００１２】
また本発明の上記変速機の冷却構造において、前記吸気ダクトの前端側には、前記外気取入口を介して外気を取り入れる吸気ボックスが接続され、前記吸気ボックスは、前記膨出部の前方に設けられる。この構成によれば、膨出部によって形成される前方空間を利用して吸気ボックスを設置できる。
【００１３】
また本発明の上記変速機の冷却構造において、前記吸気ボックスには、上部空間を除いて前記吸気ボックスの内部を前後に仕切る立壁が設けられ、前記立壁は、前後方向において前記上部空間と前記外気取入口が重ならないように形成される。この構成によれば、外気取込口から入り込んだ水滴を立壁によって遮断し、上部空間を介して外気だけを吸気ダクト内に取り入れることができる。
【００１４】
また本発明の上記変速機の冷却構造において、前記外気取入口には、複数の羽板を平行に配置したルーバーが設けられており、前記複数の羽板は、前記足置き空間に向って下向きに傾いており、車幅方向の内側から外側に向って下方に傾斜して延在する。この構成によれば、ルーバーの羽板の向きによって、外気取入口側の側方及び上方からの異物の侵入を防止することができる。
【００１５】
また本発明の上記変速機の冷却構造において、前記変速機は、車体前後方向に延びる車体中心線に対して車幅方向の一方側に偏って配置されており、前記外気取入口は、車幅方向において前記変速機側に設けられる。この構成によれば、外気取入口と変速機ケースとの離間距離を近付けることができる。これにより、吸気ダクトを短くすることができ、吸気抵抗を小さくして変速機の冷却効率を向上できる。また、吸気ダクトを容易に配管することもできる。
【発明の効果】
【００１６】
本発明によれば、変速機の冷却用に変速機ケース内に外気を取り込む際に、埃や水滴等の異物の侵入を防止できる。
【図面の簡単な説明】
【００１７】
【図１】本実施の形態に係る自動二輪車の左側面図である。
【図２】本実施の形態に係るレッグシールド付近の断面を後方から見た図である。
【図３】本実施の形態に係る車体の部分断面図である。
【図４】本実施の形態に係る外気取入口の部分拡大図である。
【図５】本実施の形態に係る車体フレームの正面図である。
【図６】本実施の形態に係る車体フレームに対する吸気ボックス及び吸気ダクトの取付位置の説明図である。
【図７】本実施の形態に係る車体フレームの上面図である。
【図８】本実施の形態に係る車体フレームの側面図である。
【図９】本実施の形態に係る外気取入口に対する異物の侵入防止構造の説明図である。
【発明を実施するための形態】
【００１８】
以下、本実施の形態について添付図面を参照して詳細に説明する。なお、以下においては、本発明の変速機の冷却構造をスクータータイプの自動二輪車に適用した例について説明するが、これに限定されるものではなく適宜変更が可能である。例えば、本発明の変速機の冷却構造を、他のタイプの自動二輪車にも適用可能である。
【００１９】
図１及び図２を参照して、本実施の形態に係る自動二輪車全体の概略構成について説明する。図１は、本実施の形態に係る自動二輪車の左側面図である。図２は、本実施の形態に係るレッグシールド付近の断面を後方から見た図である。なお、図１においては、車体前方を矢印ＦＲ、車体後方を矢印ＲＥ、車体左側方を矢印Ｌ、車体右側方を矢印Ｒでそれぞれ示す。
【００２０】
図１及び図２に示すように、スクータータイプの自動二輪車１は、鋼製又はアルミ合金製の車体フレーム２（図５参照）に車体外装としての各種カバーを装着して構成されている。この自動二輪車１は、ライダーの前方を保護するようにフロントカウル３１が設けられ、フロントカウル３１の背面側にはライダーの脚部を保護するレッグシールド３２が設けられている。また、レッグシールド３２の下端から後方に向ってステップボード３３が延在し、ステップボード３３の後方にはシート１４ａ、１４ｂの下方にシートカウル３４が設けられている。
【００２１】
このスクータータイプの自動二輪車１には、レッグシールド３２とステップボード３３とによってライダーシート１４ａの前方にライダーの脚部が置かれる足置き空間Ｓ１が形成されている。足置き空間Ｓ１は、車幅方向の中央に位置するセンターコンソール（空間分離部）３５によって左右に分けられている。センターコンソール３５は、レッグシールド３２とシートカウル３４とを連ねるように前後方向に延在している。センターコンソール３５を跨ぐようにしてライダーの脚部が左右の足置き空間Ｓ１に置かれることで、走行風等から左右の脚部が保護される。
【００２２】
車体前側には、ヘッドパイプ２１（図５参照）に設けられたステアリングシャフト（不図示）を介して一対のフロントフォーク１１が左右に揺動可能に支持されている。一対のフロントフォーク１１の上方には、前輪４操舵用のハンドルバー１２が設けられている。車体左側のハンドルバー１２には、後輪５用のブレーキレバー１２１が設けられ、車体右側のハンドルバー１２には前輪４用のブレーキレバー（不図示）が設けられている。一対のフロントフォーク１１の下部には、前輪４が回転可能に支持されると共に、前輪４の上部を覆うフロントフェンダ１３が設置される。
【００２３】
前輪４には、ブレーキディスク４１とブレーキディスク４１を挟持するキャリパー４２が設けられている。フロントカウル３１の前面には、ヘッドランプ３１１が設けられ、ヘッドランプ３１１の上方には風除け用のウィンドスクリーン３１２が設けられている。レッグシールド３２には、足置き空間Ｓ１に向けて開口された外気取入口６が設けられている。外気取入口６は、吸気ボックス７（図３参照）及び吸気ダクト８を介して変速機ケース９に外気を導入する。なお、外気取入口６、吸気ボックス７、吸気ダクト８の詳細については後述する。
【００２４】
車体中央のセンターコンソール３５の内側には、燃料タンク１８が収容されている。燃料タンク１８の後方のシートカウル３４上には、ライダーシート１４ａ及びピリオンシート１４ｂが連設されている。シートカウル３４の側部には、ピリオンシート１４ｂの近傍に同乗者用のグラブバー３４１が設けられている。シートカウル３４の後部にはテールランプ３４２及びリヤフェンダ３４３が設けられている。また、シートカウル３４の内側には、車体フレーム２に搭載されたエンジン（図示省略）が収容されている。
【００２５】
車体後部の下側には、スイングアームとして機能する変速機ケース９が上下方向に揺動可能に連結されており、車体フレーム２及び変速機ケース９間には、後輪緩衝用のサスペンション（不図示）が取り付けられている。変速機ケース９の内側には、エンジン側のドライブプーリと後輪５側のドリブンプーリとにドライブベルトを掛け渡したベルト式無段変速機が収容されている。この変速機は、ドライブベルトの巻き掛け半径を可変することで変速される。後輪５は、ドライブベルトを介してエンジンからの動力が伝達されることで回転駆動される。
【００２６】
エンジンは、シリンダを前方に向けて略水平方向に倒した状態で車体フレーム２に懸架される。エンジンには、インテークパイプ（不図示）を介して空気が取り込まれ、燃料噴射装置にて空気と燃料とが混合されて燃焼室に供給される。燃焼室内での燃焼後の排気ガスは、エンジンの下方に延出されたエキゾーストパイプ１５を経てマフラ１６から排気される。エンジン各部からの熱は、車体前側のフロントカウル３１の内側に配置されたラジエータ１７により冷却される。
【００２７】
図３及び図４を参照して、変速機の冷却構造について説明する。図３は、本実施の形態に係る車体の部分断面図である。図４は、本実施の形態に係る外気取入口の部分拡大図である。
【００２８】
図３及び図４に示すように、フロントカウル３１は、断面視において車体前側を保護する前側部分３１３と、前側部分３１３の下端から後方に延びる下側部分３１４とにより略Ｌ字状に形成されている。フロントカウル３１の前側部分３１３は、レッグシールド３２に対向しており、フロントカウル３１の下側部分３１４は、レッグシールド３２の下端から後方に延びるステップボード３３に対向している。車体前側には、フロントカウル３１、レッグシールド３２、ステップボード３３によって断面視略Ｌ字状の空間Ｓ２が形成されている。
【００２９】
この空間Ｓ２には、変速機冷却用の吸気ボックス７及び吸気ダクト８が設けられている。吸気ボックス７は、レッグシールド３２の裏面に取り付けられており、レッグシールド３２の外気取入口６を介して外部に連通している。吸気ダクト８は、一端に吸気ボックス７が接続され、他端に変速機ケース９が接続されている。吸気ダクト８は、吸気ボックス７から下側に降りて、ステップボード３３の下方を通って変速機ケース９に接続される。外気取入口６から吸気ボックス７に取り込まれた外気は、吸気ダクト８を通って変速機ケース９内に導入される。
【００３０】
外気取入口６には、外部から吸気ボックス７内に異物が侵入しないように、複数の羽板６１からなるルーバー６２が設けられている。ルーバー６２の各羽板６１は、後方に向って下向き（後ろ下がり）に傾いており、例えば、雨天時等に上方からの水滴が吸気ボックス７内に侵入し難くなっている。また、ルーバー６２の各羽板６１は、車幅方向において内側から外側に向って下方に傾斜して延在しており、例えば、洗車時等に側方からの水滴が吸気ボックス７内に侵入し難くなっている。
【００３１】
吸気ボックス７には、断面視において上部空間Ｓ３を除いてボックス内を前後に仕切る立壁７４が形成されている。ボックス内の前側空間は、吸気ダクト８を介して変速機ケース９内に連通し、ボックス内の後側空間は外気取入口６を介して外部に連通している。この場合、立壁７４は外気取入口６の上端部よりも上方に延びているため、前後方向で上部空間Ｓ３と外気取入口６が重なることが防止されている。このように、立壁７４は、外気取入口６から侵入した異物や水滴が吸気ダクト８内に入ることを防止する遮蔽壁として機能する。
【００３２】
レッグシールド３２の一部には、後方に膨出した膨出部３２１が設けられており、膨出部３２１の前方において上述した空間Ｓ２が部分的に拡げられている。この膨出部３２１の裏面側に、吸気ボックス７が配置されることで、膨出部３２１によって形成される空間Ｓ２が有効利用される。外気取入口６は、この膨出部３２１の頂点部分から下側の領域に設けられている。膨出部３２１の頂点部分は、外気取入口６の上方において庇として機能し、雨天時等に上方から外気取入口６に向う水滴を遮るように構成されている。
【００３３】
また、膨出部３２１に外気取入口６が形成されることで、外気取入口６と吸気ボックス７内の立壁７４との距離を確保できる。これにより、外気取入口６から侵入した水滴が立壁７４の奥側に入り込み難くなり、吸気ボックス７内において外気と水滴との分離が更に効果的に行われる。なお、立壁７４は、吸気ボックス７内で吸気抵抗を低下させない程度に上部空間Ｓ３を空ける高さに形成されていることが好ましい。また、立壁７４は、外気取入口６の上端部よりも低く形成されていても、十分に水滴の侵入を抑制可能である。
【００３４】
また、図４に示すように、外気取入口６は、膨出部３２１の頂点部分の下側領域において、ステップボード３３から上方に所定距離を空けて設けられている。ステップボード３３上のライダーのつま先は、外気取入口６の下方に位置付けられ、外気取入口６との接触が防止される。これにより、ルーバー６２の破損やライダーの足によって外気取入口６が塞がれることがなく、冷却効率の低下が防止される。
【００３５】
外気取入口６の面積は、少なくとも吸気ダクト８の流路の最小断面積よりも大きく設計されることで、流路抵抗の増加を抑えて冷却効果の低下を防止している。この場合、外気取入口６は、高さ方向の寸法よりも車幅方向の寸法を優先的に確保して設計される。車幅方向の寸法を大きくすることで、高さ方向の寸法を小さくすることができ、外気取入口６の下端がステップボード３３からできるだけ離間される。
【００３６】
例えば、本実施の形態の外気取入口６では、車幅方向における対向辺がレッグシールド３２の外縁及びセンターコンソール３５の側壁に沿うように形成されており、車幅方向の寸法が優先的に大きく取られている。外気取入口６の面積は一定の大きさに規定されているため、外気取入口６の車幅方向の寸法を大きくとった分だけ高さ寸法が小さくなっている。さらに、外気取入口６の上端は、膨出部３２１の頂点部分付近に位置されるため、外気取入口６がステップボード３３から上方に大きく離間される。
【００３７】
この変速機の冷却構造では、変速機ケース９内に設けたファンの回転によって外気取入口６から外気が取り入れられる。このとき、外気取入口６は、後方に向けてレッグシールド３２に開口され、ステップボード３３によって地面から遮蔽されるため、車体前方及び下方からの埃や水滴等の異物の侵入が防止される。また、外気取入口６は、左側面視（図１参照）において投影面積が小さく形成され、右側面視においてセンターコンソール３５によって遮蔽されるため、両側方からの異物の侵入が防止される。
【００３８】
さらに、外気取入口６は、レッグシールド３２の頂点部分の下方に位置するため、上方からの異物の侵入が防止される。また、外気取入口６は、ルーバー６２の羽板６１の向きによって、上方及び左側方からの異物の侵入がより効果的に防止される。吸気ボックス７内では、立壁７４によって吸気ダクト８内への異物の侵入が防止される。このように本実施の形態に係る変速機の冷却構造では、変速機ケース９内への異物の侵入が防止されるため、変速機やクラッチの作動不良を効果的に抑制している。
【００３９】
図５から図８を参照して吸気ボックス及び吸気ダクトについて詳細に説明する。図５は、本実施の形態に係る車体フレームの正面図である。図６は、本実施の形態に係る車体フレームに対する吸気ボックス及び吸気ダクトの取付位置の説明図である。図７は、本実施の形態に係る車体フレームの上面図である。図８は、本実施の形態に係る車体フレームの側面図である。
【００４０】
図５から図８に示すように、車体フレーム２は、前端に位置するヘッドパイプ２１の上部から後方に向けて左右二股に分岐して、斜め下方に延在するフロントアッパフレーム２２を有している。各フロントアッパフレーム２２の下端は、それぞれ車体前後方向に延びる一対のメインフレーム２４に接合されている。また、車体フレーム２は、ヘッドパイプ２１の下部から下方に向けて左右二股に分岐して延在し、途中から後方に向って水平方向に延在するフロントロアフレーム２３を有している。各フロントロアフレーム２３は、上下方向における中間位置でメインフレーム２４の前端位置に接合されている。
【００４１】
各メインフレーム２４及び各フロントロアフレーム２３の後端には、それぞれ一対のシートフレーム２５が接合される。各シートフレーム２５は、それぞれ各フロントロアフレーム２３の後端から後方に向って斜め上方に延在する。各シートフレーム２５は、メインフレーム２４の接合部付近で傾斜角度が小さくなるように曲げられている。各シートフレーム２５の曲げ部を挟んだ前端側及び後端側は、一対の補助フレーム２６によって補強されている。各シートフレーム２５及び各補助フレーム２６に囲まれた部分には、ブラケット２７が設けられ、このブラケット２７にエンジンが懸架される。
【００４２】
エンジンは、例えば、水冷式の４サイクル単気筒エンジンであり、フロントロアフレーム２３の前方に設けたラジエータ１７によって冷却される。また、エンジンの左側部には、吸気ボックス７及び吸気ダクト８を介して外気が導入される変速機ケース９（図１参照）が連結されている。また、詳細は省略するが、ヘッドパイプ２１にはステアリングシャフトが支持され、メインフレーム２４の下方には燃料タンク１８が配置され、シートフレーム２５の上部にはシート１４ａ、１４ｂが配置される。
【００４３】
吸気ボックス７は、外気取入口６を介して外気を取り込む枠状部分７１と、吸気ダクト８に外気を導く管状部分７２とで構成されている。枠状部分７１は、外気取入口６よりも大きな開口７３を有しており、吸気ボックス７は、枠状部分７１の開口７３を後方に向けた状態で、左側のフロントロアフレーム２３の左側方に配置されている。管状部分７２の一部は、枠状部分７１の内側に立設した立壁７４となっており、外気と水滴等の異物とを分離している。管状部分７２の下端部には、吸気ダクト８が接続されている。
【００４４】
吸気ダクト８は、吸気ボックス７からラジエータ１７の左側方を下方に降り、ステップボード３３の下側をフロントロアフレーム２３の水平部分に沿って後方に延在する。すなわち、吸気ボックス７及び吸気ダクト８は、車体前後方向に延びる中心線に対して車幅方向の左側に偏って配置され、エンジンの左側部に連結された変速機ケース９に接続される。このように、吸気ダクト８は、ラジエータ１７横のデッドスペースを有効利用して、変速機ケース９に対して最短距離で接続される。
【００４５】
このため、吸気ダクト８の長さを短くすることができ、吸気抵抗を小さくして変速機の冷却効果を向上できる。また、吸気ダクト８を直線的に配管できるため、吸気ダクト８の配管を容易にすることもできる。なお、本実施の形態では、車体左側に、外気取入口６、吸気ボックス７、吸気ダクト８からなる変速機の冷却構造を配置したが、この構成に限定されない。変速機の冷却構造は、車幅方向において変速機ケース９が配置された側に設けられればよく、例えば、車体右側に配置されてもよい。
【００４６】
また、吸気ダクト８は、変速機ケース９に接続される可撓性のジョイント部８１を有している。吸気ダクト８は、ジョイント部８１を介して変速機ケース９に接続されるため、スイングアームとして動作する変速機ケース９の揺動を妨げることがない。
【００４７】
図９を参照して、外気取入口に対する異物の侵入防止構造について説明する。図９は、本実施の形態に係る外気取入口に対する異物の侵入防止構造の説明図である。
【００４８】
図９Ａに示すように、外気取入口６は、後方の足置き空間Ｓ１を向くようにレッグシールド３２に設けられている。このため、外気取入口６の前方にはフロントカウル３１が位置し、外気取入口６の下方にはステップボード３３が位置している。よって、前輪４によって巻き上げられた埃や雨天時の水滴等の車体前方側からの異物はフロントカウル３１によって車体後方に流される。また、車体下方からの異物は、ステップボード３３によって外気取入口６が遮蔽されるため、足置き空間Ｓ１内に飛散することがない。このため、後方に向けて開口された外気取入口６に前方及び下方からの異物が取り入れられることが防止される。
【００４９】
図９Ｂに示すように、足置き空間Ｓ１はセンターコンソール３５によって左右に分けられており、外気取入口６はレッグシールド３２において左側の足置き空間Ｓ１側に設けられている。外気取入口６は、センターコンソール３５よりも低い位置に設けられているため、右側面視においてセンターコンソール３５によって遮蔽されている。このため、右側方からの異物は、センターコンソール３５が壁となって左側の足置き空間Ｓ１内に飛散することが抑制される。よって、洗車時に、右側方から水が掛けられても外気取入口６内に水滴が侵入することが防止される。
【００５０】
図９Ｃ及び図９Ｄに示すように、外気取入口６は、レッグシールド３２の膨出部３２１の頂点部分の下方領域に形成され、上面視において膨出部３２１によって遮蔽されている。さらに、外気取入口６は、複数の羽板６１からなるルーバー６２によって遮蔽されている。このため、上方、左側方、後方からの異物は、膨出部３２１の頂点部分、ルーバー６２が壁となり、外気取入口６内に取り入れられることが防止される。また、外気取入口６は、レッグシールド３２に設けられているため、左側面視における投影面積が小さく形成され、異物が侵入し難く形成されている。
【００５１】
ルーバー６２の各羽板６１は、外方（後方）に向って下向きに傾斜している。各羽板６１の傾きにより、後面視において各羽板６１間に形成される隙間が小さくなっている。このため、後方からの異物は、羽板６１間の隙間を通じて外気取入口６内に入り難くなっている。また、図９Ｅに示すように、ルーバー６２の各羽板６１は、左側方（車幅方向における外側）に向って低くなるように延在している。各羽板６１の延在方向及び傾きにより、左側面視において外気取入口６が遮蔽される。このため、左側方からの異物は、羽板６１間の隙間を通じて外気取入口６内に入り難くなっている。
【００５２】
また、雨天時等においては、水滴が膨出部３２１を伝って外気取入口６側に降りる場合がある。この場合、水滴は、複数の羽板６１の傾きに沿って外気取入口６の外側に落ちるようにガイドされ（図９Ｄ参照）、又は複数の羽板６１の延在方向に沿って外気取入口６の左側方に落ちるようにガイドされる（図９Ｅ参照）。よって、レッグシールド３２の壁面を伝うような水滴でも、外気取入口６内に入り込むことが防止される。また、水滴が外気取入口６を介して吸気ボックス７内に入り込んだ場合でも、吸気ボックス７内の立壁７４によって気水分離されて、外気だけが吸気ダクト８を介して変速機ケース９内に導入される。
【００５３】
以上のように、本実施の形態に係る変速機の冷却構造によれば、外気取入口６がレッグシールド３２の後方の足置き空間Ｓ１に向けて開口され、外気取入口６の下方にステップボード３３が位置するため、前方及び下方から外気取入口６への異物の侵入が防止される。また、外気取入口６の右側方には、センターコンソール３５が配置されているため、右側方からの異物の侵入が防止される。さらに、外気取入口６には、複数の羽板６１を有するルーバー６２が取り付けられており、このルーバー６２の傾きによって上方、後方、左側方から外気取入口６への異物の侵入が防止される。このように、外気取入口６に対して上下方向、前後方向、左右方向からの異物の侵入が防止されるため、変速機やクラッチの作動不良が生じることがない。
【００５４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５５】
例えば、本実施の形態に係るレッグシールドは、足置き空間の前方を覆うものであれば、どのような形状でもよい。また、本実施の形態に係るステップボードは、足置き空間の下面を形成するものであれば、どのような形状でもよい。また、本実施の形態においては、センターコンソールを有する大排気量タイプのスクーターを例示して説明したが、この構成に限定されない。足置き空間を有する自動二輪車であればよく、例えば、センターコンソールを有さない小型スクーターにも適用可能である。
【００５６】
また、本実施の形態に係るレッグシールドは、吸気ボックスの収容空間を拡げるように膨出した膨出部を有する構成としたが、この構成に限定されない。膨出部は、少なくとも外気取入口に上方からの異物が侵入し難いように膨出していればよく、フロントカウルとレッグシールドとの間に十分な空間があれば、吸気ボックスの収容空間を拡げない構成としてもよい。
【００５７】
また、本実施の形態に係る外気取入口は、車幅方向の左側に偏った位置に設けられる構成としたが、この構成に限定されない。外気取入口は、レッグシールドにおいて足置き空間に向って開口されていればよく、例えば、車幅方向の中央や右側に偏った位置に設けられてもよい。また、外気取入口は、レッグシールドに１つだけでなく、複数設けられてもよい。
【００５８】
また、本実施の形態においては、空間分離部としてセンターコンソールを例示したが、この構成に限定されない。空間分離部は、足置き空間を左右に分けるものであれば、どのような構成でもよい。
【００５９】
また、本実施の形態においては、外気取入口の車幅方向の寸法を高さ方向の寸法よりも優先して確保する構成としたが、この構成に限定されない。外気取入口は、吸気ダクトの最小断面積よりも大きい面積を有し、ライダーのつま先と接触しなければ、どのような寸法で形成されてもよい。
【００６０】
また、本実施の形態においては、外気取入口から吸気ボックスを介して外気を取入れ、吸気ダクトを通じて外気を変速機ケース内に導入する構成としたが、この構成に限定されない。外気取入口から吸気ダクトを通じて外気を変速機ケース内に導入する構成としてもよい。
【００６１】
また、本実施の形態においては、ルーバーの各羽板が所定の向きに延在されると共に、所定の向きに傾いた構成としたが、この構成に限定されない。各羽板の延在方向及び向きを可変可能に構成してもよい。
【符号の説明】
【００６２】
１  自動二輪車
２  車体フレーム
４  前輪
５  後輪
６  外気取入口
７  吸気ボックス
８  吸気ダクト
９  変速機ケース
１７  ラジエータ
３１  フロントカウル
３２  レッグシールド
３３  ステップボード
３４  シートカウル
３５  センターコンソール（空間分離部）
６１  羽板
６２  ルーバー
７４  立壁
３２１  膨出部
Ｓ１  足置き空間
Ｓ３  上部空間
【図１】
0005760780.tif 000002
【図２】
0005760780.tif 000003
【図３】
0005760780.tif 000004
【図４】
0005760780.tif 000005
【図５】
0005760780.tif 000006
【図６】
0005760780.tif 000007
【図７】
0005760780.tif 000008
【図８】
0005760780.tif 000009
【図９】
0005760780.tif 000010